(57)【要約】【課題】散布作業が容易で、意図しない場所に内容物が散布されることを抑制でき、広範囲にわたって内容物を均一に散布できる散布袋の提供を目的とする。【解決手段】外側袋部１０と、外側袋部１０の内部側に設けられた内側袋部１４を有する二重構造であり、外側袋部１０の下方に下部開口部１２が設けられ、下部開口部１２が、雄側嵌合部２６及び雄側嵌合部２６と着脱自在に嵌合する雌側嵌合部２８を有する嵌合具２０により開閉自在になっており、内側袋部１４の下部側に、内部に収容される内容物が通過して放散される穴１６が形成されていることを特徴とする散布袋１。【選択図】図１
2014023466.tif 000002
【特許請求の範囲】
【請求項１】
外側袋部と、該外側袋部の内部側に設けられた内側袋部を有する二重袋構造を有し、
前記外側袋部の下方に下部開口部が設けられ、前記下部開口部が、着脱自在に嵌合する一対の嵌合部を有する嵌合具により開閉自在になっており、
前記内側袋部の下部側に、内部に収容される内容物が通過して放散される穴が形成されていることを特徴とする散布袋。
【請求項２】
前記外側袋部の上部側に手提げ用開口部が形成されている、請求項１に記載の散布袋。
【発明の詳細な説明】
【技術分野】
【０００１】
本発明は、散布袋に関する。
【背景技術】
【０００２】
例えば、畑等における肥料、農薬等の散布では、袋や容器に収容された肥料や農薬等の内容物を柄杓等によって散布する方法がある。しかし、該方法は内容物が収容された容器自体を持って移動する必要があるため、特に容器内に多量の内容物が収容されている場合、広範囲にわたって該内容物を散布することは困難である。また、柄杓で内容物を掬って撒く動作を頻繁に繰り返す必要があり散布作業が煩雑である。
【０００３】
そこで、内容物を収容する袋に矩形状の底面を設け、該底面に直径４〜８ｍｍの小孔を３〜１５個形成し、かつ該底面の外側に底紙を貼り付けて前記小孔を閉塞した散布袋が提案されている（特許文献１）。
前記散布袋は、底面に貼り付けられた底紙を剥がすことで、袋内の内容物が前記小孔から排出されるようになり、内容物の散布が行えるようになる。しかし、該散布袋は、一旦散布を終えた後に再度使用する場合、内容物を袋内に補充しているときに内容物が小孔から排出されてしまう。また、散布場所まで移動している間にも内容物が排出されてしまう。そのため、内容物を補充している場所や、散布場所までの経路等、散布を予定していない場所に内容物が散布される問題がある。また、複数回の散布作業によって、内容物を広範囲にわたって均一に散布することが難しい。
【先行技術文献】
【特許文献】
【０００４】
【特許文献１】特開平７−２６４９６３号公報
【発明の概要】
【発明が解決しようとする課題】
【０００５】
本発明は、散布作業が容易で、意図しない場所に内容物が散布されることを抑制でき、広範囲にわたって内容物を均一に散布できる散布袋の提供を目的とする。
【課題を解決するための手段】
【０００６】
本発明の散布袋は、外側袋部と、該外側袋部の内部側に設けられた内側袋部を有する二重袋構造を有し、
前記外側袋部の下方に下部開口部が設けられ、前記下部開口部が、着脱自在に嵌合する一対の嵌合部を有する嵌合具により開閉自在になっており、
前記内側袋部の下部側に、内部に収容される内容物が通過して放散される穴が形成されていることを特徴とする。
【０００７】
本発明の散布袋は、前記外側袋部の上部側に手提げ用開口部が形成されていることが好ましい。
【発明の効果】
【０００８】
本発明は、散布作業が容易で、意図しない場所に内容物が散布されることを抑制でき、広範囲にわたって内容物を均一に散布できる。
【図面の簡単な説明】
【０００９】
【図１】本発明の散布袋の下方の下部開口部が開いた状態を示す斜視図である。
【図２】図１の散布袋を直線Ｉ−Ｉ’で切断したときの断面図である。
【図３】図１の散布袋の下方の下部開口部を嵌合具によって封じた状態を示す斜視図である。
【図４】図３の散布袋を直線II−II’で切断したときの断面図である。
【図５】図１の散布袋の外側袋部を上側に引き伸ばした様子を示した断面図である。
【図６】本発明の散布袋の他の例を示した断面図である。
【図７】本発明の散布袋の他の例を示した断面図である。
【図８】本発明の散布袋の他の例を示した断面図である。
【発明を実施するための形態】
【００１０】
本発明の散布袋は、例えば、肥料、農薬等の内容物を散布するための袋である。特に、容器に多量の内容物が収容され、該容器を持ち運ぶことが困難な場合に、該内容物の一部を移し替え、複数回にわたって広範囲に内容物を散布する用途に好適である。散布する内容物の形状は特に限定されず、粉状であってもよく、液状であってもよい。
以下、本発明の散布袋の一例を示して詳細に説明する。
【００１１】
本実施形態の散布袋１は、図１〜４に示すように、外側袋部１０と、外側袋部１０の内部側に設けられた内側袋部１４と、を有する二重袋構造を有している。
外側袋部１０は、一対の平面部１０ａ，１０ｂを有し、それらの側縁同士が接続され、下方に下部開口部１２が形成されている。外側袋部１０における下部開口部１２側の内面、すなわち一対の平面部１０ａ，１０ｂの下縁近傍の内面には、雄側嵌合部２６及び該雄側嵌合部２６と着脱自在に嵌合する雌側嵌合部２８を有する嵌合具２０が、下部開口部１２に沿って取り付けられている。つまり、外側袋部１０の下方に形成された下部開口部１２は、嵌合具２０によって開閉自在に封じることができるようになっている。
【００１２】
内側袋部１４は、一対の平面部１４ａ，１４ｂを有し、それらの側縁同士及び下縁同士が接続され、またそれらの上縁部分が外側袋部１０の平面部１０ａ，１０ｂの上縁部分とそれぞれ連結され、上部側に上部開口部１４ｃが形成された袋状になっている。さらに、内側袋部１４の下部側には、内部に収容される内容物が通過して放散される穴１６が複数形成されている。
【００１３】
散布袋１では、上部開口部１４ｃから内側袋部１４内に内容物を収容でき、下部開口部１２を開くことで、内側袋部１４内の内容物が穴１６を通じて放散され、下部開口部１２から下方に散布される。また、下部開口部１２を閉じることで、内側袋部１４内の内容物が穴１６を通過しても、内側袋部１４と外側袋部１０の間にその内容物が溜まり、内容物が散布されないようにできる。つまり、散布袋１は、下部開口部１２の開閉により内容物を散布したり、散布を停止したりできるようになっている。
【００１４】
外側袋部１０及び内側袋部１４の形状は、本実施形態では矩形である。ただし、外側袋部１０及び内側袋部１４の形状は矩形には限定されない。また、外側袋部１０及び内側袋部１４の大きさも特に限定されず、内側袋部１４内に収容する内容物の種類、量等によって適宜選定すればよい。
【００１５】
穴１６の形状及び大きさは、内容物の種類、内容物が粉状であればその形状及び大きさ等に応じて、内容物が所望の流量で通過して放散されるように適宜設定すればよい。穴１６の形状としては、例えば、円形状、長円形状、矩形状、三角形状等が挙げられる。穴１６の形状は何でもよいが、穴１６の縁から破れ難く、かつ、穿孔機の噛み合わせが多少ずれたとしても穿孔ミスが生じ難いため、円形状または長円形状であることが好ましい。
穴１６の数は、特に制限されず、内容物の種類、穴１６の形状及び大きさ等に応じて適宜設定すればよい。
【００１６】
穴１６の位置は、内側袋部１４内に内容物が残留し難くなる点では、内側袋部１４において、できるだけ底に近い位置に形成されていることが好ましい。
また、外側袋部１０の形状と内側袋部１４の形状を同等とし、内側袋部１４の内部に内容物を収容してその下部側が広がり、外側袋部１０の下部開口部１２を閉じてその下部側が狭まったときに、外側袋部１０の下部側と内側袋部１４の下部側が密着するような形態として、内側袋部１４の下部側における外側袋部１０の下部側と密着する部分に穴１６を形成することが好ましい。これにより、内側袋部１４内に内容物を収容し、外側袋部１０の下部開口部１２を閉じているときに、内側袋部１４に形成した穴１６が外側袋部１０との密着によって塞がれ、内側袋部１４内の内容物が穴１６を通過する量が低減される。そのため、例えば内容物を収容した後に散布場所まで移動して散布を開始する際に、内側袋部１４と外側袋部１０の間に溜まった内容物が局所的に散布されることが抑制され、より均一な散布が可能となる。
【００１７】
外側袋部１０の上部側には、この例のように、手を差し入れることができる手提げ用開口部１８ａ，１８ｂが形成されていることが好ましい。これにより、散布袋１の取り扱い性が向上し、広範囲にわたって内容物を散布することが容易になる。
手提げ用開口部１８ａ，１８ｂの大きさ及び形状は、それらに手を差し入れて散布袋１を持てる大きさ及び形状であれば特に限定されない。
【００１８】
本実施形態では、手提げ用開口部１８ａ，１８ｂは、内側袋部１４の内部側から外側袋部１０の外部側まで通じている。すなわち、外側袋部１０の平面部１０ａ及び内側袋部１４の平面部１４ａにおける同じ位置に開口が形成され、外側袋部１０の外部から手を差し入れられる手提げ用開口部１８ａと、外側袋部１０の平面部１０ｂ及び内側袋部１４の平面部１４ｂにおける同じ位置に開口が形成され、外側袋部１０の外部から手を差し入れられる手提げ用開口部１８ｂとが形成されている。このように、手提げ用開口部１８ａ，１８ｂを、内側袋部１４の内部側から外側袋部１０の外部側まで通じるように形成することで、手提げ用開口部１８ａ，１８ｂを利用して散布袋１を手で持ったときに、散布袋１が破損し難くなる。
なお、手提げ用開口部１８ａ，１８ｂは、外側袋部１０のみを貫通するように形成されていてもよい。
【００１９】
外側袋部１０を形成する平面部１０ａ，１０ｂの材質は、ヒートシールにより嵌合具２０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、外側袋部１０の平面部１０ａ，１０ｂは、シーラント層のみからなる単層フィルムであってもよい。
【００２０】
内側袋部１４を形成する平面部１４ａ，１４ｂの材質は、特に限定されず、例えば、外側袋部１０の平面部１０ａ，１０ｂで挙げた材質と同じものが挙げられる。
内側袋部１４を形成する平面部１４ａ，１４ｂの材質は、外側袋部１０を形成する平面部１０ａ，１０ｂの材質と同じであることが好ましい。
【００２１】
嵌合具２０は、図２及び図４に示すように、一対の帯状の第１の基材２２及び第２の基材２４を有し、第１の基材２２の対向面２２ａに長手方向に沿って突条の雄側嵌合部２６が設けられ、第２の基材２４の対向面２４ａに長手方向に沿って雌側嵌合部２８が設けられている。
この例では、第１の基材２２が外側袋部１０の平面部１０ａの内面に幅方向に沿って溶着され、第２の基材２４が外側袋部１０の平面部１０ｂの内面に幅方向に沿って溶着されることで、嵌合具２０が外側袋部１０の下部開口部１２の近傍の内面に取り付けられている。
【００２２】
雄側嵌合部２６は、第１の基材２２の対向面２２ａから立ち上がる幹部２６ａと、幹部２６ａの先端部に設けられ、幹部２６ａよりも大きい断面略半円形状の頭部２６ｂを有している。また、雌側嵌合部２８は、第２の基材２４の対向面２４ａから断面円弧状に立ち上がる第１のアーム部２８ａと第２のアーム部２８ｂからなり、第１のアーム部２８ａと第２のアーム部２８ｂによって凹部２８ｃが形成されている。雄側嵌合部２６と雌側嵌合部２８は、雄側嵌合部２６の頭部２６ｂを雌側嵌合部２８の凹部２８ｃに嵌め込むことで、着脱自在に嵌合できるようになっている。
雄側嵌合部２６及び雌側嵌合部２８の断面形状は、雄側嵌合部２６と雌側嵌合部２８を互いに着脱することで、外側袋部１０の下部開口部１２の開閉が繰り返し行えるものであればよく、公知の断面形状を採用できる。
【００２３】
第１の基材２２としては、特に限定されず、公知の嵌合具の基材に使用されるものが使用でき、積層フィルムからなる基材が好ましい。積層フィルムからなる第１の基材２２としては、例えば、対向面２２ａ側から、耐熱層とヒートシール層が積層されたフィルムが挙げられる。また、第１の基材２２は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００２４】
第１の基材２２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材２２は、積層フィルムからなる基材には限定されず、単層フィルムからなる基材であってもよい。
【００２５】
第２の基材２４としては、第１の基材２２と同じ基材が挙げられ、好ましい態様も同じである。
また、雄側嵌合部２６及び雌側嵌合部２８の材質としては、例えば、第１の基材２２及び第２の基材２４で挙げた材質が採用できる。
【００２６】
散布袋１は、例えば、図５に例示した袋体１Ａにおける直線ｘの上部側２を、直線ｘの下部側３の外側に開くように下側に折り返すことで得ることができる。
具体的には、袋体１Ａは、下部側に複数個の穴１６が形成され、上部に開口部４が形成された袋体であり、開口部４近傍の外面に、雄側嵌合部２６が長手方向に設けられた第１の基材２２と、雌側嵌合部２８が長手方向に設けられた第２の基材２４が開口部４に沿って取り付けられている。また、袋体１Ａの一方の平面部の上部側２と下部側３には、直線ｘ（折り返し部）に沿って上部側２を折り返したときに位置が揃うように、一対の開口部５ａ，５ａが形成されており、他方の平面部にも同様に一対の開口部５ｂ，５ｂが形成されている。
袋体１Ａの上部側２を折り返したとき、上部側２が散布袋１の外側袋部１０となり、袋体１Ａの下部側３が散布袋１の内側袋部１４となり、袋体１Ａの開口部５ａ，５ａが散布袋１の手提げ用開口部１８ａとなり、袋体１Ａの開口部５ｂ，５ｂが散布袋１の手提げ用開口部１８ｂとなる。
【００２７】
以下、散布袋１の作用について説明する。
例えば、容器内に多量に収容された内容物を広範囲にわたって散布する場合、該容器内の内容物の一部を上部開口部１４ｃから内側袋部１４内に移し替える。このとき、嵌合具２０の雄側嵌合部２６と雌側嵌合部２８を嵌合し、下部開口部１２を封じておく。これにより、内側袋部１４内の内容物の一部が穴１６を通過しても、その内容物は外側袋部１０と内側袋部１４の間に留まる。そのため、内容物を移し替えているときに該内容物が散布袋１から漏れ落ちることを抑制でき、前記容器の周りに内容物が散乱することを抑制できる。
【００２８】
また、内容物を散布する場所まで移動した後、嵌合具２０の雄側嵌合部２６を雌側嵌合部２８から脱離させて下部開口部１２を開く。これにより、内側袋部１４の穴１６を通過して放散された内容物が、外側袋部１０の下部開口部１２から散布される。このような散布袋１を用いた内容物の散布では、雄側嵌合部２６を雌側嵌合部２８から脱離させて下部開口部１２を開くまでは内容物が散布袋１の外に出ないので、内容物の散布場所までの経路等、意図しない場所に内容物が撒かれることを防ぐことができる。そのため、広範囲にわたる散布であっても内容物を均一に散布することができる。
【００２９】
以上説明した本発明の散布袋は、内側袋部と外側袋部の二重袋構造を有しており、内側袋部の穴から内容物が放散される一方、外側袋部の下部開口部を嵌合具によって開閉自在に封じることが可能であるので、散布を意図していない場所に内容物が撒かれることを抑制しつつ、内容物を容易に広範囲にわたって均一に散布できる。
【００３０】
なお、本発明の散布袋は、前記した散布袋１には限定されない。例えば、内側袋部及び外側袋部の上部側に手提げ用開口部が形成されておらず、その代わりに上部に手提げ用の把手が設けられた散布袋であってもよい。
また、本発明の散布袋における嵌合具は、前記嵌合具２０には限定されず、外側袋部の下部開口部を開閉自在に封じることができるものであれば、公知のいかなる態様の嵌合具であってもよい。
また、手提げ用開口部を利用して内容物を内側袋部内に収容したり、内側袋部の平面部に内容物を収容するための開口部を別に形成したりする場合等は、内側袋部の上部側に必ずしも上部開口部は形成されていなくてもよい。
【００３１】
また、図６に例示した散布袋６であってもよい。散布袋６における散布袋１と同じ部分は同符号を付して説明を省略する。
散布袋６は、内側袋部１４の上部開口部１４ｃ近傍の内面に、雄側嵌合部３６が長手方向に沿って設けられた第１の基材３２と、雌側嵌合部３８が長手方向に沿って設けられた第２の基材３４とを有する嵌合具３０が上部開口部１４ｃに沿って取り付けられ、嵌合具３０によって上部開口部１４ｃを開閉自在に封じることができるようになっている以外は、散布袋１と同じである。
嵌合具３０としては、上部開口部１４ｃを開閉自在に封じることができるものであればよく、例えば、嵌合具２０と同じものが挙げられる。
散布袋６は、移動時に内容物が内側袋部１４の下部開口部１２からこぼれ落ちることを抑制できる点で有利である。
【００３２】
また、図７に示すように、外側袋部１０の上部側と内側袋部１４の上部側が、ヒートシールによって溶着されることで連結されている散布袋７であってもよい。散布袋７における散布袋１と同じ部分は同符号を付して説明を省略する。
また、図８に示すように、内側袋部１４の上端が、外側袋部１０の上端よりも下方に位置するように、内側袋部１４の上部側が外側袋部１０と溶着されて二重袋構造とされ、外側袋部１０における内側袋部１４よりも上部側に手提げ用開口部１８ａ，１８ｂが形成された散布袋８であってもよい。散布袋８における散布袋１と同じ部分は同符号を付して説明を省略する。
【００３３】
また、底面を有する内側袋部を有する散布袋であってもよい。この場合、内容物が効率良く散布される点からは、前記内側袋部の底面に、内容物が通過して放散される穴を形成することが好ましい。
【符号の説明】
【００３４】
１，６〜８  散布袋
１０  外側袋部
１２  下部開口部
１４  内側袋部
１６  穴
１８ａ，１８ｂ  手提げ用開口部
２０，３０  嵌合具
２２，３２  第１の基材
２４，３４  第２の基材
２６，３６  雄側嵌合部
２８，３８  雌側嵌合部
【図１】
2014023466.tif 000003
【図２】
2014023466.tif 000004
【図３】
2014023466.tif 000005
【図４】
2014023466.tif 000006
【図５】
2014023466.tif 000007
【図６】
2014023466.tif 000008
【図７】
2014023466.tif 000009
【図８】
2014023466.tif 000010